(57)【要約】【課題】取り外されたノズルを再利用することができる噴出装置を提供する。【解決手段】スプレー缶１１の上端部に取り付けられるノズル１２にスプレー缶１１の周面に沿って延在するカバー部４１を設け、カバー部４１に、スプレー缶１１の折返し部２３に外嵌する外嵌部５１を設ける。外嵌部５１に下方開口状の切り込み６１を複数設け、各切り込み６１間に係止片６２を設ける。各係止片６２は可倒性を有し、外嵌部５１には弾性が付与される。これにより、各切り込み６１は、前記外嵌部５１に弾性を付与する弾性付与構造を構成する。【選択図】図３
2007111601.tif 000002
【特許請求の範囲】
【請求項１】
スプレー缶に設けられたノズルに、前記スプレー缶の上部に設けられた折返し部に外嵌するとともに、該折返し部に外嵌した状態で当該折返し部に係止される筒状の外嵌部が設けられた噴出装置において、
前記外嵌部に弾性を付与する弾性付与構造を備えたことを特徴とする噴出装置。
【請求項２】
前記外嵌部に切り込みを形成して当該外嵌部に弾性を付与したことを特徴とする請求項１記載の噴出装置。
【請求項３】
前記ノズルに、当該ノズルを前記スプレー缶に取り付けた状態で該スプレー缶の周面に沿って延在しノズル操作時に把持されるカバー部を設け、該カバー部の内側に配置された前記外嵌部と前記カバー部とを連結したことを特徴とする請求項１又は２記載の噴出装置。
【請求項４】
前記カバー部に切り込みを形成したことを特徴とする請求項１、２又は３記載の噴出装置。
【発明の詳細な説明】
【技術分野】
【０００１】
本発明は、スプレー缶から内容物を噴出する噴出装置に関する。
【背景技術】
【０００２】
従来、スプレー缶にノズルが取り付けられた噴出装置を破棄する際には、スプレー缶とノズルとを分別する必要があり、この分別作業を容易とする為に、図６に示すようなノズル７０１が考案されている（例えば、特許文献１）。
【０００３】
このノズル７０１は、スプレー缶に嵌着されるリング状の外嵌部７１１を備えており、該外嵌部７１１の上縁内側には、ヒンジ部７１２を介してノズル部７１３が設けられている。該ノズル部７１３の中央には、スプレー缶のノズルコアに接続される円筒状のスパウト７１４が設けられており、該スパウト７１４の側部には、操作ボタン７１５が設けられている。これにより、該操作ボタン７１５を押圧操作した際に、前記スプレー缶のノズルコアから噴出された内容物を前記スパウト７１４を介して吐出できるように構成されている。
【０００４】
前記外嵌部７１１には、切断用の縦型の溝７２１，７２１が形成されており、この溝７２１，７２１は、前記ヒンジ部７１２との接続部の両側から当該外嵌部７１１の下縁まで延在している。
【０００５】
これにより、廃棄時には、前記スパウト７１４を持って前記外嵌部７１１を引きちぎることにより、前記スプレー缶に嵌着固定された当該ノズル７０１を容易に分離できるように構成されている。
【特許文献１】特開平９−２１６６７３号公報
【発明の開示】
【発明が解決しようとする課題】
【０００６】
しかしながら、このような従来の噴出装置にあっては、スプレー缶からノズル７０１を取り外す際に、該ノズル７０１の外嵌部７１１を引きちぎらなければならなかった。
【０００７】
このため、当該ノズル７０１を再利用することができないという問題があった。
【０００８】
本発明は、このような従来の課題に鑑みてなされたものであり、取り外されたノズルを再利用することができる噴出装置を提供することを目的とするものである。
【課題を解決するための手段】
【０００９】
前記課題を解決するために本発明の請求項１の噴出装置にあっては、スプレー缶に設けられたノズルに、前記スプレー缶の上部に設けられた折返し部に外嵌するとともに、該折返し部に外嵌した状態で当該折返し部に係止される筒状の外嵌部が設けられた噴出装置において、前記外嵌部に弾性を付与する弾性付与構造を備えたことを特徴とする噴出装置。
【００１０】
すなわち、スプレー缶に取り付けられたノズルには、前記スプレー缶に形成された折返し部に外嵌する外嵌部が設けられており、この外嵌部には、弾性付与構造によって弾性が付与されている。
【００１１】
このため、スプレー缶使用後において、前記スプレー缶の前記折返し部に外嵌した前記ノズルの前記外嵌部を弾性変形させることによって、前記折返し部との係止状態が解除される。
【００１２】
このとき、前記外嵌部より外力を取り除いた際には、元の形状に戻ることから、当該ノズルは、他のスプレー缶の折返し部に取り付けられる。
【００１３】
また、請求項２の噴出装置においては、前記外嵌部に切り込みを形成して当該外嵌部に弾性を付与した。
【００１４】
すなわち、スプレー缶の折返し部に外嵌する外嵌部には、切り込みが形成され、これにより当該外嵌部に弾性が付与される。
【００１５】
さらに、請求項３の噴出装置では、前記ノズルに、当該ノズルを前記スプレー缶に取り付けた状態で該スプレー缶の周面に沿って延在しノズル操作時に把持されるカバー部を設け、該カバー部の内側に配置された前記外嵌部と前記カバー部とを連結した。
【００１６】
すなわち、ノズルをスプレー缶に取り付けた状態において、前記ノズルを前記スプレー缶に嵌着固定する外嵌部の外側には、前記スプレー缶の周面に沿って延在するカバー部が配置されており、該カバー部は、ノズル操作時に把持されるように構成されている。そして、このカバー部と前記外嵌部とは、連結されており、前記カバー部を把持した把持力は、前記外嵌部が前記折返し部に係合する係合力として作用するとともに、カバー部を介してスプレー缶の周面も握持することができるので、使用時にカバー部からスプレー缶が脱落することを防止することができる。
【００１７】
一方、前記スプレー缶から前記ノズルを取り外す際には、前記握持力が開放されるため、外嵌部が折返し部に係合する係合力が開放されるとともに、その力が前記カバー部に加えられる。すると、この力は、前記外嵌部に伝達され、当該外嵌部を前記折返し部から外す力として作用する。
【００１８】
加えて、請求項４の噴出装置にあっては、前記カバー部に切り込みを形成した。
【００１９】
すなわち、ノズル取付時においてスプレー缶の外周面に沿って延在するカバー部に切り込みを設けることによって、ノズル取り外し時において、前記カバーを変形することができる。
【発明の効果】
【００２０】
以上説明したように本発明の請求項１の噴出装置にあっては、スプレー缶使用後において、前記スプレー缶の折返し部に外嵌したノズルの外嵌部を弾性変形させることによって、当該外嵌部と前記折返し部との係止状態の解除を容易とし、前記ノズルの前記スプレー缶からの取り外しを可能とすることができる。
【００２１】
このとき、取り外し時に加えられた外力を前記外嵌部から取り除いた際には、当該外嵌部が元の形状に戻るため、当該ノズルの外嵌部を他のスプレー缶の折返し部に外嵌した状態で取り付けることができる。
【００２２】
したがって、ノズルをスプレー缶から取り外す際に、ノズルの外嵌部を引きちぎらなければならなかった従来と比較して、ノズルの再利用が可能となり、利便性が向上する。
【００２３】
また、請求項２の噴出装置においては、スプレー缶の折返し部に外嵌する外嵌部に切り込みを設けることによって、当該外嵌部に弾性を付与することができる。これにより、前記外嵌部の変形を助けることができ、ノズルの取り外し性の向上を図ることができる。
【００２４】
さらに、請求項３の噴出装置では、ノズルに設けられたカバー部を把持するノズル操作時には、前記カバー部を把持する把持力を、ノズルの外嵌部がスプレー缶の折返し部に係合する係合力として作用させることができる。
【００２５】
一方、前記スプレー缶から前記ノズルを取り外す際には、その力を前記カバー部に加えることができる。これにより、この力を前記外嵌部に伝達し、当該外嵌部を前記折返し部から外す力として作用させることができる。
【００２６】
このように、ノズルを操作する使用時には、ノズルの不用意な外れを防止することができる一方、ノズル取り外し時には、ノズルの取り外しを助けることができる。
【００２７】
加えて、請求項４の噴出装置にあっては、ノズル取付時においてスプレー缶の外周面に沿って延在するカバー部に切り込みを設けることによって、取り付け時の握持力を外嵌部に伝達しやすくするとともに、ノズル取り外し時において、前記カバーの変形を助けることができ、取り外し性の向上を図ることができる。
【発明を実施するための最良の形態】
【００２８】
（第１の実施の形態）
【００２９】
以下、本発明の第１の実施の形態を図に従って説明する。図１は、本実施の形態にかかる噴出装置１を示す図であり、該噴出装置１は、芳香剤や消臭剤や殺虫剤などの噴霧剤を必要に応じて任意に噴霧する装置である。
【００３０】
この噴出装置１は、噴霧剤が収容された金属製のスプレー缶１１と、該スプレー缶１１の上端部に取り付けられたノズル１２とによって構成されており、該ノズル１２から前記スプレー缶１１を取り外すことによって、当該スプレー缶１１を交換できるように構成されている。
【００３１】
このスプレー缶１１の缶本体２１は、図２にも示すように、円筒容器状に形成されており、当該缶本体２１の上端部は、球面状に形成されたショルダー部２２が形成されている。この上端部の中央部には、噴霧剤を収容する為の収容口が設けられており、該収容口は、蓋体によって閉鎖されている（図示省略）。該蓋体の周縁は、前記缶本体２１の上縁と共にカシメられており、当該缶本体２１の上端部には、下方へ向けて折り返された折返し部２３が全周に渡って形成されている。
【００３２】
前記蓋体からは、前記缶本体２１に収容された前記噴霧剤を噴出するためのパイプ２５が後退可能に延出しており、該パイプ２５には、前記噴霧剤の不用意な吹き出しを防止する図外のバルブ機構が設けられている。このバルブ機構は、前記パイプ２５を缶本体２１側へ後退させた際に該缶本体２１内の噴霧剤を当該パイプ２５から噴出できるように構成されている。
【００３３】
前記ノズル１２は、弾性を有した合成樹脂によって形成されており、弾性が付与された弾性付与構造を備えている。このノズル１２は、前記スプレー缶１１に取り付けられるノズル本体３１と、該ノズル本体３１の上部開口部３２を閉鎖する上部閉鎖部３３とによって構成されている。
【００３４】
前記ノズル本体３１には、前記スプレー缶１１に取り付けた取付状態において、当該スプレー缶１１の周面に沿って延在するカバー部４１が一体形成されており、該カバー部４１は、前記スプレー缶１１の周面に密着するように構成されている。このカバー部４１は、ノズル操作時に前記スプレー缶１１を握持する手で把持できる長さに設定されている。
【００３５】
このカバー部４１の内側面には、前記スプレー缶１１の前記折返し部２３に外嵌する筒状の外嵌部５１が一体形成されており、該外嵌部５１は、その上縁部が前記カバー部４１内面に連結されている。この外嵌部５１の下縁部には、前記スプレー缶１１に取り付けた状態で、前記折返し部２３と前記ショルダー部２２との間に挿入される係止爪５２，・・・が内側へ向けて突設されており、前記外嵌部５１を前記折返し部２３に外嵌した状態で前記係止爪５２，・・・が前記折返し部２３に係合することで、当該ノズル１２が前記スプレー缶１１に固定されるように構成されている。
【００３６】
この外嵌部５１には、図３及び図４に示すように、上下方向に延在する下方開口状の切り込み６１，・・・が複数形成されており、各切り込み６１，・・・は、前記外嵌部５１の円周方向に等間隔をおいて設けられている。各切り込み６１，・・・間には、前記スプレー缶１１の前記折返し部２３に係止される係止片６２，・・・が形成されており、各係止片６２，・・・には、可倒性が付与されている。これにより、当該外嵌部５１には、弾性が付与されており、前記各切り込み６１，・・・は、前記外嵌部５１に弾性を付与する弾性付与構造を構成している。
【００３７】
前記カバー部４１の上縁には、図２〜図４に示したように、前記スプレー缶１１の前記蓋体に沿って延在する棚部７１が形成されており、該棚部７１の中央には、前記パイプ２５が挿通する円形穴７２が形成されている。前記カバー部４１の上縁には、図２及び図３に示すように、前記棚部７１を包囲する筒状の首部７３が形成されており、該首部７３の前方には、開口部７４が形成されている。
【００３８】
この首部７３の上部には、大径のヘッド部８１が形成されており、該ヘッド部８１は、前記上部閉鎖部３３が取り付けられることによって、前記上部開口部３２が閉鎖されるように構成されている。前記ヘッド部８１の後端部には、相対向する支持壁８２，８２が形成されており、該支持壁８２，８２には、図３の（ｂ）に示したように、上方開口状の上方開口溝８３，８３が形成されている。
【００３９】
前記ヘッド部８１内には、図２に示したように、前記スプレー缶１１の前記噴霧剤を噴霧する際に操作される操作レバー９１が設けられており、該操作レバー９１は、への字状に形成された相対向する側面部９２，９２を備えている。両側面部９２，９２の後端部には、回転軸９３が架橋されており、該回転軸９３は、前記支持壁８２，８２に設けられた前記上方開口溝８３，８３に回動自在に支持されている。
【００４０】
前記両側面部９２，９２の中央部には、中央壁１０１によって連結されており、該中央壁１０１には、下方に延出した一対の下方延出片１０２，１０２が形成されるとともに、両下方延出片１０２，１０２には、下方開口溝１０３，１０３が形成されている。前記両側面部９２，９２の前端部は、前壁１０４によって連結されており、当該操作レバー９１の前端部には、前記首部７３の前記開口部７４を挿通して斜め下方に延出したトリガー１０５が形成されている。
【００４１】
また、前記ヘッド部８１内には、前記スプレー缶１１から噴出された前記噴霧剤を案内するガイド部材１１１が収容されている。該ガイド部材１１１は、前記棚部７１の前記円形穴７２に挿入される筒状のガイド本体１１２を備えており、該ガイド本体１１２には、前記スプレー缶１１より延出した前記パイプ２５が挿入される挿入穴１１３が設けられている。該挿入穴１１３上部の内側面には、傾斜面１１４が形成されており、該傾斜面１１４に前記パイプ２５が当接するように構成されている。
【００４２】
前記ガイド本体１１２の上部側面には、円柱部１２１，１２１が突設されており、該円柱部１２１は、前記操作レバー９１の前記下方延出片１０２，１０２に設けられた下方開口溝１０３，１０３に回動自在に支持されている。これにより、前記操作レバー９１の前記トリガー１０５が操作された際には、当該ガイド部材１１１が前記スプレー缶１１より延出した前記パイプ２５を下方の後退させ、当該パイプ２５から前記噴霧剤を噴出できるように構成されている。
【００４３】
前記ガイド本体１１２の上端部からは、筒状のガイド部１３１が前記ノズル１２の前端開口部１３２へ向けて延出されており、該ガイド部１３１は、前記ガイド本体１１２に接続されている。これにより、該ガイド本体１１２内に噴出された前記噴霧剤を当該ガイド部１３１の先端に設けられた噴出口１３３を介して噴霧できるように構成されている。
【００４４】
以上の構成にかかる本実施の形態において、前記スプレー缶１１の上部に取り付けられたノズル１２には、前記スプレー缶１１に形成された折返し部２３に外嵌する外嵌部５１が設けられており、この外嵌部５１には、その素材からなる弾性付与構造によって弾性が付与されている。
【００４５】
このため、スプレー缶１１の噴霧剤を使い切った際には、前記スプレー缶１１に対してノズル１２を捩りながら上方へ引っ張ることにより、前記スプレー缶１１の前記折返し部２３に外嵌した前記外嵌部５１を弾性変形させることができる。これにより、この外嵌部５１と前記折返し部２３との係止状態を容易に解除することができ、前記ノズル１２の前記スプレー缶１１からの取り外しを可能とすることができる。
【００４６】
そして、前記折返し部２３から前記外嵌部５１が外れ、取り外し時に加えられた外力が前記外嵌部５１から取り除いた際には、当該外嵌部５１が元の形状復元する。このため、当該ノズル１２の前記外嵌部５１を、他のスプレー缶１１の折返し部２３に外嵌した状態で当該ノズル１２を新たなスプレー缶１１に取り付けることができる。
【００４７】
したがって、ノズルをスプレー缶から取り外す際に、ノズルの外嵌部を引きちぎらなければならなかった従来と比較して、前記ノズル１２の再利用が可能となり、利便性が向上する。
【００４８】
また、前記外嵌部５１には、複数の切り込み６１，・・・が形成されており、前記外嵌部５１を構成する各係止片６２，・・・に可倒性が付与されている。これによっても、当該外嵌部５１には、弾性が付与されているため、当該外嵌部５１の変形を助けることができ、前記ノズル１２の取り外し性の向上を図ることができる。
【００４９】
そして、このノズル１２を前記スプレー缶１１に取り付けた状態において、前記ノズル１２を前記スプレー缶１１に嵌着固定する前記外嵌部５１の外側には、前記スプレー缶１１の周面に沿って延在するカバー部４１が設けられており、該カバー部４１は、ノズル操作時に把持されるように構成されている。また、このカバー部４１と前記外嵌部５１とは、上端部にて連結されており、前記カバー部４１を把持する把持力は、前記外嵌部５１の内径を縮径する方向に作用する。このため、前記把持力を前記折返し部２３に係合する係合力として作用するとともに、カバー部４１を介してスプレー缶１１の周面も握持することができるので、使用時にカバー部４１からスプレー缶１１が脱落することを防止することができる。
【００５０】
一方、前記スプレー缶１１から前記ノズル１２を取り外す際には、前記握持力が開放されるため、外嵌部５１が折返し部２３に係合する係合力が開放されるとともに、前記カバー部４１を外側に広げようとする力を前記外嵌部５１を広げる力として作用させ、当該外嵌部５１を前記折返し部２３から外す力として作用させることができる。
【００５１】
このように、前記ノズル１２を操作する使用時には、当該ノズル１２の不用意な外れを防止することができる一方、ノズル取り外し時には、該ノズル１２の取り外しを助けることができる。
【００５２】
（第２の実施の形態）
【００５３】
図５は、第２の実施の形態を示す図であり、第１の実施の形態と異なる部分に付いてのみ説明し、同一又は同等部分に付いては、同符号を付して説明を割愛する。
【００５４】
すなわち、ノズル１２のカバー部４１には、上下方向に延在する下方開口状の切り込みとしてのスリット２０１，・・・が複数形成されており、各スリット２０１，・・・は、前記カバー部４１の円周方向に等間隔をおいて設けられている。各スリット２０１，・・・間には、前記スプレー缶１１の周面に密着する密着片２０２，・・・が形成されており、各密着片２０２，・・・には、可倒性が付与されている。これにより、当該カバー部４１には、弾性が付与されている。
【００５５】
前記各スリット２０１，・・・は、前記外嵌部５１に形成された各切り込み６１，・・・と合致する位置に設けられており、各スリット２０１，・・・間に形成された各密着片２０２，・・・には、前記外嵌部５１を構成する各係止片６２，・・・に対向する位置に設けられている。これにより、前記各密着片２０２，・・・の上部には、対応する係止片６２，・・・が連結されている。
【００５６】
このように、ノズル取付時においてスプレー缶１１の周面に沿って延在するカバー部４１にスリット２０１，・・・を設けることによって、ノズルを操作する使用時及びノズル取り外し時において、前記カバー部４１を変形することができる。
【００５７】
これにより、ノズルを操作する使用時に、弱い握持力でも確実に外嵌部に伝達することができるため、当該ノズル１２の不用意な外れをより確実に防止することができる一方、前記スプレー缶１１からの前記ノズル１２の取り外し性を向上することができる。
【図面の簡単な説明】
【００５８】
【図１】本発明の第１の実施の形態を示す図で、（ａ）は要部の側面図であり、（ｂ）は平面図である。
【図２】同実施の形態の要部を示す断面図である。
【図３】同実施の形態のノズル本体を示す図で、（ａ）は正面から見た一部断面図であり、（ｂ）は側面から見た断面図である。
【図４】同実施の形態のノズル本体を示す底面図である。
【図５】本発明の第２の実施の形態のノズル本体を示す図で、（ａ）は正面から見た一部断面図であり、（ｂ）は側面から見た断面図である。
【図６】従来のノズルを示す斜視図である。
【符号の説明】
【００５９】
１    噴出装置
１１    スプレー缶
１２    ノズル
２３    折返し部
４１    カバー部
５１    外嵌部
６１    切り込み
２０１    スリット
【図１】
2007111601.tif 000003
【図２】
2007111601.tif 000004
【図３】
2007111601.tif 000005
【図４】
2007111601.tif 000006
【図５】
2007111601.tif 000007
【図６】
2007111601.tif 000008